(57)【要約】  【課題】  接続された端子同士のロック構造を簡易化する。  【解決手段】  導電板１０の基部１０ａの端部から垂直に屈曲されると共に該垂直部１３の先端中央より圧接用のスロット１５が切りかかれた音叉端子１１と、該スロット１５の両側内面より突出した接触部１６と電気接続させるタブ状の相手方端子２１とを備え、相手方端子２１の挿入側先端に一方側に突出させた係止爪２２を設けておく一方、音叉端子１１にはスロット１５を屈曲部１４まで切り欠くと共に、前記基部１０ａ側に切り込んだ係止穴１７を前記スロット１５と連続させて設け、係止穴１７に相手方端子２１を挿入して係止爪２２を基部１０ａの裏面側に係止して音叉端子１１と相手方端子同士２１をロックさせる構成としている。  【選択図】  図３
2006054154.tif 000002
【特許請求の範囲】
【請求項１】
導電板の基部の端部から垂直に屈曲されると共に該垂直部の先端中央より圧接用のスロットが切りかかれた音叉端子と、該音叉端子の前記スロットに挿入して、該スロットの両側内面より対向させて突出した接触部と電気接続させるタブ状の相手方端子とを備え、
前記相手方端子の挿入側先端に一方側に突出させた係止爪を設けておく一方、前記音叉端子には前記スロットを屈曲部まで切り欠くと共に、前記基部側に切り込んだ係止部を前記スロットと連続させて設け、前記係止部に前記相手方端子を挿入して係止爪を基部の裏面側に係止して音叉端子と相手方端子同士をロックさせる構成としている音叉端子の接続構造。
【請求項２】
前記係止部の前記屈曲部からの切り込みの深さは前記相手方端子の係止爪の突出寸法以下としている請求項１に記載の音叉端子の接続構造。
【請求項３】
導電板の基部と同一平面に形成され、先端より圧接用のスロットが切り欠かれた音叉端子と、該音叉端子の前記スロットに直交方向から挿入して、該スロットの両側内面より突出させた接触部と電気接続させるタブ状の相手方端子とを備え、
前記相手方端子の挿入側先端に一方側に突出させた係止爪を設けておく一方、該相手方端子の前記係止爪を前記音叉状端子の基部の裏面側に係止して音叉端子と相手方端子同士をロックさせる構成としている音叉端子の接続構造。
【請求項４】
前記導電板は電気接続箱に収容されるバスバーからなり、該バスバーに前記音叉端子が設けられている一方、前記相手方端子は、前記電気接続箱に搭載されているヒューズの端子、リレーの端子、中継端子あるいは／および外部回路と接続される端子からなる請求項１乃至請求項３のいずれか１項に記載の音叉端子の接続構造。
【発明の詳細な説明】
【技術分野】
【０００１】
本発明は、音叉端子の接続構造に関し、特に、音叉端子を電気接続する相手方端子に確実に固定できる構成とするものである。
【背景技術】
【０００２】
従来より電気接続する端子同士の離脱を防止する手段としては、端子同士に直接的なロック構造を設けて固定する、あるいは、端子を収容するキャビテイ内面に端子のロック手段を設ける等の方法が採用されている。
【０００３】
端子自体にロック構造を設ける例として、特開平０９−１０２３４５号（特許文献１）に示される中継端子の例がある。この例では、図６に示すように、基部１ａの上下両端にメス端子部１ｂを備えた中継端子１において、該メス端子部１ｂの内部に爪片１ｃを突設すると共に、相手方のタブ状端子２の先端部付近に角穴２ａを設けておき、タブ状端子２を中継端子１のメス端子部１ｂに挿入し、角穴２ａが爪片１ｃ上を通過すると同時に爪片１ｃが角穴２ａに挿入係止され、タブ状端子２と中継端子１とを抜け止めをしている。
【０００４】
また、端子収容キャビテイにロック構造を設ける例として、特開平７−２８２８８４号（特許文献２）に示されるコネクタハウジングの雌端子ロック構造が提供されている。この例では、図７に示すように、雌端子５を収容するハウジング６のキャビティ７の内面よりランス８を突設し、キャビティ７の開口部７ａから挿入した雌端子５の凹部５ａに前記ランス８が係止されて、雌端子５のハウジング６からの抜け外れを規制している。
【０００５】
しかしながら、前記特許文献１ではメス端子にタブ状端子を挿入接続している例であり、また、特許文献２もメス端子をキャビテイに固定している例であり、いわゆる音叉端子にタブ状端子を圧入して、圧接接続している例ではない。
近時、タブ状端子と電気接続する相手方端子として、折り曲げプレス加工が必要なメス端子ではなく、平板状の端子の先端から相手方のタブ状端子を圧入する圧接スロットを切り込んだ音叉端子が汎用されている。該音叉端子では、相手方のタブ状端子を圧接スロットに圧入し、その挿入圧を大として、通常ではタブ状端子に抜けが発生しない設定として入るが、過大な引張力等が作用した場合には挿入圧だけに頼ることなく互いに機構的にロック手段を設けておくことが好ましい。
【特許文献１】特開平９−１０２３４５号公報
【特許文献２】特開平７−２８２８８４号公報
【発明の開示】
【発明が解決しようとする課題】
【０００６】
本発明は前記問題に鑑みてなされたもので、音叉端子について簡単に相手方のタブ状端子とロックできるようにすることを課題としている。
【課題を解決するための手段】
【０００７】
前記課題を解決するために、本発明は、第一に、導電板の基部の端部から垂直に屈曲されると共に該垂直部の先端中央より圧接用のスロットが切りかかれた音叉端子と、該音叉端子の前記スロットに挿入して、該スロットの両側内面より対向させて突出した接触部と電気接続させるタブ状の相手方端子とを備え、
前記相手方端子の挿入側先端に一方側に突出させた係止爪を設けておく一方、前記音叉端子には前記スロットを屈曲部まで切り欠くと共に、前記基部側に切り込んだ係止部を前記スロットと連続させて設け、前記係止部に前記相手方端子を挿入して係止爪を基部の裏面側に係止して音叉端子と相手方端子同士をロックさせる構成としている音叉端子の接続構造を提供している。
【０００８】
この接続構造によれば、通常の端子の形状と異なる点は、音叉端子についてはスロットを長く切り欠いて屈曲させている点であり、相手方のタブ状端子については先端を一方向に突出させる点だけである。このように、音叉端子およびタブ状端子のいずれも、端子の接続部を利用したシンプルなロック構造で端子同士の抜け外れを規制することができる。また、端子をロックする作業は接続作業と同時に行うことができるうえ、端子同士を離脱する際もロックを容易に解除することができるため、作業性にも優れている。
【０００９】
前記係止部の前記屈曲部からの切り込みの深さは前記相手方端子の係止爪の突出寸法以下としていることが好ましい。
前記係止穴の切り込みの深さを相手方端子の係止爪の突出寸法以下とすることにより、相手方端子の係止爪は、音叉端子の接触部が該相手方端子に接触している限り必ず、該相手方端子を立設したバスバー基部の裏面側に係止されるため、わずかな振動でロックが安易に解除されることはない。
【００１０】
さらに、本発明は、第二に、導電板の基部と同一平面に形成され、先端より圧接用のスロットが切り欠かれた音叉端子と、該音叉端子の前記スロットに直交方向から挿入して、該スロットの両側内面より突出させた接触部と電気接続させるタブ状の相手方端子とを備え、
前記相手方端子の挿入側先端に一方側に突出させた係止爪を設けておく一方、該相手方端子の前記係止爪を前記音叉状端子の基部の裏面側に係止して音叉端子と相手方端子同士をロックさせる構成としている音叉端子の接続構造を提供している。
【００１１】
このように、スロットの接触部を導電板の基部と同一平面上に形成することにより、音叉端子の変形を防止できるうえ、相手方のタブ状端子と音叉端子とを互いにロックしたときに、ロック部と接触部との距離が近くなるため、変形や振動による接続不良の発生を一層確実に防止することができる。
【００１２】
前記第一および第二の発明のいずれにおいても、前記係止爪の裏面側をテーパ形状とすると、スロットに挿入しやすくできる。なお、該係止爪の表面側と裏面側の両方を先端に向けて収縮するテーパ形状としてもよい。
【００１３】
前記導電板は電気接続箱に収容されるバスバーからなり、該バスバーに音叉端子が設けられている一方、相手方のタブ状端子としては、電気接続箱に搭載されているヒューズの端子、リレーの端子、中継端子あるいは／および外部回路と接続される端子であることが好ましい。
【発明の効果】
【００１４】
上述したように、本発明によれば、端子自体の接続構造を利用してロック構造を設けているため、端子を収容するハウジングやケースに複雑なロック構造を設ける必要がないうえ、ロック構造を設けた端子の形状もシンプルであり、簡易かつ安価な構造で端子の抜け外れを規制することができる。
【発明を実施するための最良の形態】
【００１５】
以下、本発明の実施形態を図面を参照して説明する。
図１乃至図３は、本発明の第１実施形態に係る音叉端子１１の接続構造を示す。この音叉端子１１は、電気接続箱３０に収容されたバスバー１０（導電板）の端部に立設され、電気接続箱３０の上壁３１に形成されたリレー搭載部３２に嵌合されるリレー２０のリレー端子２１と接続される。
【００１６】
詳しくは、音叉端子１１は図２に示すように、バスバー１０の基部１０ａの端部を垂直に屈曲させて設けており、前記バスバー１０の基部１０ａと同一平面上の水平部１２と、屈曲部１４を介して該水平部１２と連続する垂直部１３とからなる。この垂直部１３には、先端中央から屈曲部１４まで垂直に切り欠いて圧接用のスロット１５を形成し、該スロット１５の両側内面より対向させて接触部１６を突設している。前記水平部１２には、屈曲部１４からバスバー１０の基部１０ａ側に水平に切り欠いて、前記スロット１５と連続する係止穴１７を形成している。
【００１７】
前記リレー端子２１は平板のタブ形状よりなり、その挿入側先端には、該端子２１の板幅Ｗ方向の一方側に係止爪２２を突出させている。この係止爪２２の突出寸法Ｌ１は、板幅Ｗの２分の１としている。かつ、該係止爪２２は図中上面２２ａを側端面２１ａより直角方向に突出させた平面とする一方、裏面２２ｂをテーパ状としている。
【００１８】
また、音叉端子１１の係止穴１７の屈曲部１４からの切り込みの深さＬ２は、リレー端子２１の前記係止爪２２の突出寸法Ｌ１以下としている。
【００１９】
前記バスバー１０は絶縁板３３の上面に固定され、該絶縁板３３には、図１に示すように音叉端子１１の立設箇所に対応する位置の上面に凹部３４を形成している。
【００２０】
前記音叉端子１１をリレー端子２１と接続するときは、まず、リレー端子２１を音叉端子１１の上端からスロット１５および係止穴１７に挿入して、該リレー端子２１の係止爪２２を音叉端子１１の水平部１２より下方の前記凹部３４内に突出させる。次に、リレー端子２１の側端面２１ａを音叉端子１１の係止穴１７の奥端１７ａに押し付けることにより、図１および図３に示すように、係止爪２２を係止穴１７よりもバスバー１０の基部１０ａ側へと突出させる。
これにより、音叉端子１１の一対の接触部１６がリレー端子２１の両面に圧接して電気的接続を得ることができると同時に、リレー端子２１の係止爪２２が、バスバー１０の基部１０ａの裏面、即ち、音叉端子１１の水平部１２の裏面に係止してロックされる。
【００２１】
前記接続構造によれば、音叉端子１１のスロット１５を延長し、かつ屈曲させて係止穴１７を形成しており、また、リレー端子２１の先端に係止爪２２を突設しており、いずれも、音叉端子１１とリレー端子２１の互いの接続構造を利用してロック構造を形成しており、端子の形状もロック構造も簡易であるため、安価な構造で端子同士を抜け規制することができる。また、ロック作業もロック解除作業もシンプルであるため、リレー脱着の作業性もよい。
【００２２】
さらに、係止爪２２の突出寸法Ｌ１をリレー端子２１の板幅Ｗの半分とすることにより、音叉端子１１の接触部１６がリレー端子２１の幅方向の略中央部に圧接して安定した接触を確保でき、また、突出量を必要寸法内に抑えることにより、係止爪２２を音叉端子１１の水平部１２に係止させる作業に必要なスペースを小さく設定することができる。また、係止穴１７の切り込みの深さＬ２を係止爪２２の突出寸法Ｌ１以下としているため、リレー端子２１が音叉端子１１の接触部１６に接触しているときは常に係止爪２２が音叉端子１１の水平部１２に係止される状態となる。
【００２３】
図４および図５は本発明の第２実施形態にかかる音叉端子１１’の接続構造を示している。本実施形態は、音叉端子１１’を屈曲させず水平に形成している点で前記第１実施形態と相違させている。
【００２４】
前記音叉端子１１’は、バスバー１０の端部に形成され、バスバー１０の基部１０ａと同一平面上の水平部１２’のみからなる。この水平部１２’には、先端からスロット１５’を水平に切り欠き、該スロット１５’の両側内面より一対の接触部１６’を突出させている。この接触部１６’からスロット１５’の奥端１５ａ’までの寸法Ｌ３は、相手方端子であるリレー端子２１の前記係止爪２２’の突出寸法Ｌ１以下としている。該係止爪２２’は上下両面２２ａ’、２２ｂ’とをテーパ状としている。
【００２５】
この音叉端子１１’にリレー端子２１を接続するときは、図４に示すように、リレー端子２１を音叉端子１１’のスロット１５’に直交方向から挿入し、前記係止爪２２を音叉端子１１’より下方に突出させた後、該リレー端子２１の側端２１ａをスロット１５’の奥端１５ａ’に押し付ける。これにより、音叉端子１１’の接触部１６’でリレー端子２１の両面を圧接して電気接続を得ると共に、係止爪２２がバスバー１０の基部１０ａの裏面側に係止されて接続状態がロックされる。
【００２６】
この接続構造によれば、音叉端子１１’を短く形成できるため、この音叉端子１１’の強度が高まり変形を防止できる。また、音叉端子１１’とリレー端子２１のロック箇所と接続箇所とが近接するため、万が一音叉端子１１’あるいはリレー端子２１に変形が生じても、電気的接続をより確実に維持することができる。
【００２７】
なお、本発明は前記実施形態に限定されるものではなく、相手方端子はリレー端子のほか、ヒューズ端子、中継端子、あるいは／および外部回路と接続される端子でもよい。
【図面の簡単な説明】
【００２８】
【図１】本発明の第一実施形態に係る音叉端子と相手方端子（リレー端子）の接続構造を示す断面図である。
【図２】図１に示す音叉端子と相手方端子を示す要部分解斜視図である。
【図３】図１に示す音叉端子と相手方端子の接続構造を示す要部斜視図である。
【図４】本発明の第２実施形態に係る音叉端子と相手方端子を示す要部分解斜視図である。
【図５】図４に示す音叉端子と相手方端子の接続構造を示す要部斜視図である。
【図６】従来例の図である。
【図７】他の従来例の概略平面図である。
【符号の説明】
【００２９】
１０  バスバー（導電板）
１１、１１’  音叉端子
１５、１５’  スロット
１７  係止穴
２１  リレー端子（相手方端子）
２２  係止爪
３０  電気接続箱
【図１】
2006054154.tif 000003
【図２】
2006054154.tif 000004
【図３】
2006054154.tif 000005
【図４】
2006054154.tif 000006
【図５】
2006054154.tif 000007
【図６】
2006054154.tif 000008
【図７】
2006054154.tif 000009